(57)【要約】【課題】本発明は、遊技機に装着した状態でシリアルナンバ等の識別情報を視認できる簡易又は低コストの回路基板及び遊技機を提供する。【解決手段】透明なフレキシブル基板の片側実装面（１０１ａ）に、配線パターンと、シリアルナンバ等の識別情報を表す識別パターン（１０４ｂ）とを同一のエッチング工程で形成する。これにより、当該回路基板（１０１）を透して、裏面（１０１ｂ）側から識別情報を視認可能とし、また当該基板を片面パターン基板のみで製造することが可能となる。【選択図】図４
2007159848.tif 000002
【特許請求の範囲】
【請求項１】
遊技機に使用される回路基板であって、所要の電気回路を構成する配線パターンを透明又は半透明の基板に形成し、前記基板の少なくとも一つの面に当該基板を透して他の面からも視認可能な識別パターンを形成したことを特徴とする回路基板。
【請求項２】
前記回路基板は、片面パターン基板からなり、前記配線パターンを形成する工程の少なくともその一部を経て前記識別パターンを同一面に形成したことを特徴とする請求項１に記載の回路基板。
【請求項３】
前記識別パターンには、前記一つの面から見てミラー反転した表記態様で当該識別情報を表す標示列が含まれていることを特徴とする請求項１又は２に記載の回路基板。
【請求項４】
前記識別パターンには、互いにミラー反転の関係にある表記態様で当該識別情報を表す一対の標示列が少なくとも含まれていることを特徴とする請求項１又は２に記載の回路基板。
【請求項５】
前記識別パターンは、前記基板に成膜した電導金属箔をエッチングして形成されていることを特徴とする請求項１〜４の何れか１項に記載の回路基板。
【請求項６】
前記基板は、フレキシブルな樹脂フィルムからなることを特徴とする請求項１〜５の何れか１項に記載の回路基板。
【請求項７】
所要の電気回路を構成する配線パターンを透明又は半透明の基板に形成し、前記基板の少なくとも一つの面に当該基板を透して他の面からも視認可能な識別パターンを形成した回路基板を備えていることを特徴とする遊技機。
【請求項８】
前記回路基板に形成される前記識別パターンには、前記一つの面から見てミラー反転された表記態様で当該識別情報を表す標示列が含まれていることを特徴とする請求項７に記載の遊技機。
【請求項９】
前記回路基板は、前記配線パターンと前記識別パターンとが形成された一つの実装面に前記発光素子を実装する片面パターン基板からなり、
当該回路基板と、前記実装面に対向して配置されるレンズ部とを有して構成される発光ユニットを備えていることを特徴とする請求項７又は８に記載の遊技機。
【発明の詳細な説明】
【技術分野】
【０００１】
本発明は、遊技機及び遊技機に使用される回路基板に関し、より詳しくは、回路基板を遊技機に装着した状態で当該回路基板のシリアルナンバ等の識別情報を視認可能とする遊技機及び回路基板に関する。
【背景技術】
【０００２】
従来、スロットマシン等の遊技機には、例えば電飾装置や照明装置などを構成する発光ユニットが前扉のフロントマスクに設けられている。遊技の際、光による演出を主に行う発光ユニットは、遊技者に面する前扉と一体的にデザインされレンズカットされた半透明のレンズ部に対向するように、発光ダイオード等の発光素子を実装した回路基板が配置されて構成されている。
【０００３】
ところで、遊技機に使用される回路基板は、不正にすり替えられ又は改造したものが使用されないように、遊技機の管理者や検査者によって目視され得る場所にシリアルナンバ等の識別情報がパターン形成されている。
【０００４】
例えば、上述の発光ユニット等に設けられる回路基板は、電気回路を構成する配線パターンが片側の実装面にパターン形成され、同じ実装面に発光素子や電流制限素子等の電子部品が実装されている。そして、レンズカットされた光拡散性を有するレンズ部の内面に回路基板の実装面が対向して配置されることで、発光ユニットが構成されている。
【０００５】
かかる構造の発光ユニットにおいては、回路基板をユニットから分離しなくても上述の識別情報が視認できるように、当該回路基板を両面パターン基板で構成するとともに、その実装面とは反対側の裏面において文字又は数字列（標示列）からなる識別情報をパターン形成している。
【発明の開示】
【発明が解決しようとする課題】
【０００６】
ところで、遊技機においては、上述した発光ユニットの回路基板のように、片面のみ配線等のパターンが形成される片面パターン基板（片面実装基板）により電気回路を構成できる回路規模であっても、反対側の裏面にシリアルナンバ等の識別情報をパターン形成するためにのみ当該回路基板を両面パターン基板で形成しなければならない場合があり、製造プロセス又はコスト等の観点から合理的とはいえなかった。
【０００７】
本発明は、こうした従来の問題に鑑みてなされたものであり、遊技機に装着した状態でシリアルナンバ等の識別情報を視認できる簡易又は低コストの回路基板及び遊技機を提供することを目的としている。
【課題を解決するための手段】
【０００８】
上述した課題を解決するため、請求項１に記載の発明は、遊技機に使用される回路基板であって、所要の電気回路を構成する配線パターンを透明又は半透明の基板に形成し、前記基板の少なくとも一つの面に当該基板を透して他の面からも視認可能な識別パターンを形成したことを特徴とする。
【０００９】
請求項１に記載の回路基板によれば、電気回路を構成する配線パターンが形成された透明又は半透明の基板に識別パターンを形成することで、当該基板を透して識別パターンを両面から視認できるようになる。したがって、回路基板の一方の面側を閉塞して配置するようなユニットに搭載される場合でも、片面パターン基板で当該回路基板を形成でき、構造の簡素化やコストダウン等が図られる。
【００１０】
請求項２に記載の発明は、請求項１に記載の回路基板であって、前記回路基板は、片面パターン基板からなり、前記配線パターンを形成する工程の少なくともその一部を経て前記識別パターンを同一面に形成したことを特徴とする。
【００１１】
請求項２に記載の回路基板によれば、配線パターンを形成する工程を利用して識別パターンを形成することで製造プロセスを縮減、簡素化し、また回路基板を片面パターン基板で製造して、コストダウン等が図られる。
【００１２】
請求項３に記載の発明は、請求項１又は２に記載の回路基板であって、前記識別パターンには、前記一つの面から見てミラー反転した表記態様で当該識別情報を表す標示列が含まれていることを特徴とする。
【００１３】
請求項３に記載の回路基板によれば、識別情報を表す標示列をミラー反転した表記態様で識別パターンに形成することで、当該基板を透して他の面からは通常の表記態様で視認可能となる。これにより、回路基板を監視、検査等する管理者等は、遊技機に装着した状態で視認される識別パターンによって容易に識別情報を認識でき、作業性や利便性等が向上する。
【００１４】
請求項４に記載の発明は、請求項１又は２に記載の回路基板であって、前記識別パターンには、互いにミラー反転の関係にある表記態様で当該識別情報を表す一対の標示列が少なくとも含まれていることを特徴とする。
【００１５】
請求項４に記載の回路基板によれば、識別情報を表す一対の標示列を互いにミラー反転の関係にある表記態様で識別パターンに形成することで、当該基板の両面において何れかの識別パターンが通常の表記態様で視認可能となる。これにより、回路基板を監視、検査等する管理者等は、識別パターンによって容易に識別情報を認識でき、作業性や利便性等が向上する。
【００１６】
請求項５に記載の発明は、請求項１〜４の何れか１項に記載の回路基板であって、前記識別パターンは、前記基板に成膜した電導金属箔をエッチングして形成されていることを特徴とする。
【００１７】
請求項５に記載の回路基板によれば、配線パターンを形成するエッチング工程と同一工程で識別パターンを形成して、製造プロセスを縮減、簡素化するとともに、回路基板を片面パターン基板で製造することで、コストダウン等が図られる。また、透明又は半透明の基板を透して他の面から明瞭に識別パターンが視認される。
【００１８】
請求項６に記載の発明は、請求項１〜５の何れか１項に記載の回路基板であって、前記基板は、フレキシブルな樹脂フィルムからなることを特徴とする。
【００１９】
請求項６に記載の回路基板によれば、フレキシブルな樹脂フィルムに配線パターンを形成する工程を利用して識別パターンを形成でき、製造プロセスが縮減又は簡素化され、コストダウン等が図られる。また、透明又は半透明の樹脂フィルムからなる基板を透して他の面から明瞭に識別パターンが視認される。
【００２０】
請求項７に記載の発明は、遊技機であって、所要の電気回路を構成する配線パターンを透明又は半透明の基板に形成し、前記基板の少なくとも一つの面に当該基板を透して他の面からも視認可能な識別パターンを形成した回路基板を備えていることを特徴とする。
【００２１】
請求項７に記載の遊技機によれば、電気回路を構成する配線パターンが形成された透明又は半透明の基板に識別パターンを形成することで、当該基板を透して識別パターンを両面から視認できるようになる。したがって、回路基板の一方の面側を閉塞して配置するようなユニットに搭載される場合でも、片面パターン基板で回路基板を形成でき、構造の簡素化やコストダウン等が図られる。
【００２２】
請求項８に記載の発明は、請求項７に記載の遊技機であって、前記回路基板に形成される前記識別パターンには、前記一つの面から見てミラー反転された表記態様で当該識別情報を表す標示列が含まれていることを特徴とする。
【００２３】
請求項８に記載の遊技機によれば、識別情報を表す標示列をミラー反転した表記態様で識別パターンに形成することで、当該基板を透して他の面からは通常の表記態様で視認可能となる。したがって、回路基板を監視、検査等して管理、メンテナンスする管理者等の作業性や利便性等が向上する。
【００２４】
請求項９に記載の発明は、請求項７又は８に記載の遊技機であって、前記回路基板は、前記配線パターンと前記識別パターンとが形成された一つの実装面に前記発光素子を実装する片面パターン基板からなり、当該回路基板と、前記実装面に対向して配置されるレンズ部とを有して構成される発光ユニットを備えていることを特徴とする。
【００２５】
請求項９に記載の遊技機によれば、回路基板の片側実装面をレンズ部に対向させて配置した発光ユニットを備え、当該基板を透して実装面とは反対側の面から識別パターンが視認可能とされる。これにより、遊技機の管理者等は、発光ユニットを分解等せずに、遊技機に装着した状態で視認される識別パターンによって識別情報を認識できる。したがって、監視又は検査等のメンテナンスにおける作業性や管理者にとっての利便性等が向上する。
【発明の効果】
【００２６】
上述したように、本発明に係る回路基板によれば、透明又は半透明の基板に識別パターンを形成することで、基板を透して識別パターンが視認可能となる。したがって、回路基板の一方の面側が閉塞して配置される構造のユニットに搭載される場合でも、遊技機に装着した状態で回路基板の識別パターンが視認でき、監視又は検査等のメンテナンスにおける作業性や管理者の利便性等が向上する。
【００２７】
また、本発明に係る回路基板によれば、当該回路基板を片面パターン基板で製造でき、構造を簡素化することができる。また、配線パターンを形成する工程を利用して識別パターンを形成することができるため、製造プロセスを縮減、簡素化して、コストダウンを図ることができる。
【００２８】
また、本発明に係る遊技機によれば、回路基板の一方の面側を閉塞して配置する構造のユニットにおいても、遊技機に装着した状態で回路基板の識別パターンが視認でき、監視又は検査等のメンテナンスにおける作業性や管理者の利便性等を向上させることができる。
【発明を実施するための最良の形態】
【００２９】
以下、本発明に係る遊技機の好適な実施形態として、スロットマシンを例に説明する。ここで、図１は、スロットマシン１の外観構造を表した正面図である。
【００３０】
スロットマシン１は、遊技者に面する側にいわゆるフロントマスクが形成された前扉３が、略矩形状の箱体である筐体の開口に対し、図示しない蝶番機構により開閉可能に取り付けられている。フロントマスクは、化粧板として視覚効果を高めてデザインされた硬質プラスチックにより一体的に形成され、その下部には、メダルを貯留するための受け皿を備える受皿ユニット４が設けられている。
【００３１】
前扉３の上部には、高輝度の発光ダイオード（ＬＥＤ）を内蔵したコーナーランプ５ａ、５ｂ及び上部ランプ５ｃ等である効果ランプが配置され、リーチや大当たり等の際に点灯または点滅して遊技者の視覚に訴える演出を行っている。また、前扉３上部の左右位置には、それぞれスピーカを内蔵した放音部７ａ、７ｂが設けられ、効果音や楽音等によるゲームの演出を行っている。更に、各放音部７ａ、７ｂに挟まれる中央の位置には、液晶表示ユニットを配した画像表示部８が形成されている。
【００３２】
なお、画像表示部８においては、ゲームの進行に応じて適宜選択される動画像を表示して当該ゲームにストーリー性を与えたり、また、ボーナスゲーム等の大当たりの際には、よりダイナミックな画像が表示されて、遊技者に高配当の期待感を引き起こしたりする等の演出を行っている。
【００３３】
前扉３の中段には、略長方形の透明な表示窓９ａが形成された中パネル９が取り付けられている。そして、この表示窓９ａを通して、筐体内に設けられている円筒状の３個のリール１０ａ、１０ｂ、１０ｃを遊技者が目視できるように構成されている。
【００３４】
なお、各リール１０ａ、１０ｂ、１０ｃの周面には、複数の異なる種類を含む例えば２１個の図柄（図示略）がほぼ等間隔で配列され、表示窓９ａに臨む縦３個、横３列の図柄が当該表示窓を通して遊技者に視認されるようになっている。
【００３５】
中パネル９の下方には、前方に若干突出した操作卓と呼ばれる卓状部が形成され、ここには、ゲームに使用するメダルを投入するための投入口を有するメダル投入部１１と、ゲームの操作を指示するためのベットボタン１２、スタートレバー１３、及び３個のストップボタン１４ａ、１４ｂ、１４ｃが配設されている。
【００３６】
ベットボタン１２は、ゲームに賭けるメダルの枚数を提示するための押圧式のボタンスイッチである。スタートレバー１３は、リール１０ａ、１０ｂ、１０ｃを一斉に回転させる指示をするためのレバースイッチであり、先端に球形の操作ノブを有するレバーを上下左右の何れかの方向に傾倒操作するとオン作動し、レバーから手が離されるとスプリングの付勢力によって自動的に元の位置に戻ってオフ作動するように構成されている。
【００３７】
ストップボタン１４ａ、１４ｂ、１４ｃは、各リール１０ａ、１０ｂ、１０ｃの回転停止を個別に指示するための押圧式のボタンスイッチであり、各リールの配列に対応してそれぞれ並設されている。
【００３８】
フロントマスクの下部を構成する下パネル１５には、スロットマシン１のモデルタイプ等を遊技者へ認識させるための、例えば登場キャラクターの絵柄（図示略）などが印刷されて表示されている。また、下パネル１５の両側には、サイドランプ１５ａ、１５ｂが発光ダイオードを内蔵して形成されている。
【００３９】
受皿ユニット４には、入賞配当等によりメダルを払い出すメダル払出口１６と、スピーカを内蔵しゲームの進行に応じて演出効果音を発生させる放音部１７ａ、１７ｂとがそれぞれ配設されている。
【００４０】
スロットマシン１は、先のゲームにおいて入賞しメダルの払い出しが完了した時、または先のゲームにおいてハズレが確定すると待機状態となる。この状態において、遊技者がメダル投入部１１よりメダルを投入すると、そのメダルがクレジットに加算され内部貯留される。
【００４１】
この状態で遊技者がベットボタン１２を押圧操作することで、クレジットされたメダルの一部が当該ゲームに賭けられゲームが開始する。そして、遊技者がスタートレバー１３を傾倒操作すると、全てのリール１０ａ、１０ｂ、１０ｃが一斉に回転し、これと同時に入賞役が内部的な処理で乱数抽選される（これを「内部抽選」という）。
【００４２】
次に、遊技者がストップボタン１４ａ、１４ｂ、１４ｃを任意の順番で押圧操作すると、それに従い順次対応するリールが停止し、全てのリール１０ａ、１０ｂ、１０ｃが停止した後に入賞が判定される。
【００４３】
例えば、各リール１０ａ、１０ｂ、１０ｃが有効なライン上に表示した図柄の組合せが、上述の内部抽選した入賞役に係る図柄の組合せと一致したとき、当該入賞役が確定し、その役の種類に応じた枚数のメダルがクレジットに加算され配当される。入賞の配当によりクレジットの上限を超える場合には、その超過した枚数分のメダルがメダル排出口１６より受皿ユニット４へ払い出される。
【００４４】
このように、スロットマシン１の遊技者は、リール１０ａ、１０ｂ、１０ｃを回転・停止させる遊技操作を行って、表示窓９ａに変動表示した図柄が揃わなければ賭けたメダルを失うが、予め定められた組合せで図柄が揃い入賞が成立すると賭けた枚数以上のメダルを獲得し得るので、技量と運とによりメダルを増やすという興趣を伴った勝敗ゲームを楽しむことができる。
【００４５】
次に、本発明に係る回路基板の実施例として、スロットマシン１の上部ランプ５ｃに設けられる回路基板１０１について説明する。ここで、図２は、スロットマシン１の前扉３部分の分解斜視図であって、発光ユニットの例である上部ランプ５ｃの構成を主に表している。また、図３は、回路基板１０１の正面図、図４は、前扉３の上部ランプ５ｃが形成された部分を内側から見た背面図である。
【００４６】
まず、図２に示されるように、上部ランプ５ｃは、高輝度の発光ダイオード１０２等の電子部品が片側の実装面１０１ａに複数個実装された回路基板１０１と、前扉３の上部に取り付けられて一体的に形成されたレンズ部１０３とを備え構成されている。
【００４７】
レンズ部１０３は、有色若しくは無色半透明で光拡散性を有するとともに、その内側面である裏面が適宜にレンズカットされており、当該レンズ部１０３の裏面に実装面１０１ａが対向するように、回路基板１０１が前扉３の内側より装着されている。
【００４８】
図３を参照し、回路基板１０１は、片面のみ配線等のパターンが形成された透明若しくは半透明のフレキシブル基板から構成されている。すなわち、透光性を有する絶縁樹脂フィルムからなる基板の片側面にＣｕ等の電導体の金属箔を蒸着等して成膜し、露光エッチングの工程を経て配線パターン（図示略）が形成されている。更に、当該配線パターンと同一の工程で、当該回路基板１０１の識別情報であるシリアルナンバを表した識別パターン１０４ａ、１０４ｂが適宜の場所に形成されている。
【００４９】
ここで、各識別パターン１０４ａ、１０４ｂは、それぞれの表記態様が互いにミラー反転された写像関係にあり、これらは当該回路基板１０１のシリアルナンバを表す標示列により形成されている。なお、本明細書でいう「標示列」とは、ある情報を表す文字、数字、記号、マーク等の組合せを意味している。
【００５０】
例えば図３に示されるように、発光ダイオード１０２等の電子部品が実装されている実装面１０１ａ側から見て、一方の識別パターン１０４ａは通常の文字及び数字による表記態様でシリアルナンバを示す標示列がパターン形成され、他方の識別パターン１０４ｂは、識別パターン１０４ａとはミラー反転の関係にある表記態様で標示列がパターン形成されている。
【００５１】
このように上部ランプ５ｃを構成する回路基板１０１において、ミラー反転された識別パターン１０４ｂを形成することで、図４における円内に拡大して示すように、当該回路基板１０１を透してその裏面（非実装面）１０１ｂ側より通常の表記態様で視認され得るシリアルナンバが表示されることとなる。したがって、スロットマシン１を管理又は検査する管理者等は、前扉３を筐体から開放するだけで、上部ランプ５ｃユニット分解することなく回路基板１０１を装着した状態で、その裏面１０１ｂよりシリアルナンバ等の識別情報を視認することができる。したがって、効率良く回路基板１０１の監視、検査等のメンテナンス作業をすることができる。
【００５２】
また、電気回路を構成する配線パターンと同一のエッチング工程で識別パターン１０４ａ、１０４ｂを形成することにより、回路基板１０１を片面パターン基板（片面実装基板）で製造でき、製造プロセスも簡素化するため、コストダウン等が図られる。
【００５３】
また、通常の表記態様の識別パターン１０４ａも同時に形成することで、回路基板１０１を上部ランプ５ｃユニットから分離した際に、実装面１０１ａ、非実装面１０１ｂの両面からシリアルナンバ等の識別情報を容易に視認することができる。これにより、スロットマシン１のメンテナンスにおける作業性や管理者等にとっての利便性が向上する。
【図面の簡単な説明】
【００５４】
【図１】発明の一つの実施形態によるスロットマシンの外観構造を表した正面図である。
【図２】図１に示したスロットマシンの前扉部分の分解斜視図であって、上部ランプの構成を主に表した図である。
【図３】回路基板の実施形態を表した正面図である。
【図４】図１に示したスロットマシンの上部ランプが形成された部分を内側から見た背面図である。
【符号の説明】
【００５５】
１…スロットマシン
３…前扉                                ４…受皿ユニット
５ａ、５ｂ…コーナーランプ              ５ｃ…上部ランプ
７ａ、７ｂ…放音部                      ８…画像表示部
９…中パネル                            ９ａ…表示窓
１０ａ、１０ｂ、１０ｃ…リール          １１…メダル投入部
１２…ベットボタン                      １３…スタートレバー
１４ａ、１４ｂ、１４ｃ…ストップボタン  １５…下パネル
１６…メダル払出口                      １７ａ、１７ｂ…放音部
３１ａ、３１ｂ…スピーカ                ３２…サブ制御基板
１０１…回路基板
１０１ａ…実装面                        １０１ｂ…非実装面（裏面）
１０２…発光ダイオード                  １０３…レンズ部
１０４ａ、１０４ｂ…識別パターン
【図１】
2007159848.tif 000003
【図２】
2007159848.tif 000004
【図３】
2007159848.tif 000005
【図４】
2007159848.tif 000006